(57)【特許請求の範囲】
【請求項１】
金属製の基板上に上端筋がラチス筋の頂部に一体に固着されてなるトラスが１５０〜２００ｍｍの配列間隔で複数並設されたデッキプレート本体に、前記トラス間を跨ぐように主鉄筋並列連結体が組み付けられたデッキプレートであって、前記主鉄筋並列連結体は、各トラスの上端筋と直交する複数の主鉄筋および各主鉄筋と直交しトラスの配列間隔と同じかまたは整数倍の間隔で配列される複数の組立材より成り、主鉄筋と組立材との交差位置において主鉄筋が組立材の上面に一体に溶接されており、各主鉄筋は、５０ｍｍ以上、７５ｍｍ以下の間隔で配列されることによりコンクリート打設前はトラスの上端筋とで作業者の足場を構成するとともに、断面積の総和が構築する床スラブの断面積に対して０．２％の割合を確保するように軸径および配列間隔が設定されることによりコンクリート打設後は配力筋として機能するものであり、各主鉄筋を各トラスの上端筋と交差する位置で上端筋に固定することにより主鉄筋並列連結体とトラスとが一体化されて成るデッキプレート。
【請求項２】
前記主鉄筋並列連結体の各主鉄筋は、各トラスの上端筋と交差する位置で各上端筋に結束具により結束されている請求項１に記載のデッキプレート。
【請求項３】
請求項１または２に記載のデッキプレート上にコンクリートが打設されて構築されて成る床スラブ。
【請求項４】
金属製の基板上に上端筋がラチス筋の頂部に一体に固着されてなるトラスが１５０〜２００ｍｍの配列間隔で複数並設されたデッキプレート本体と、各トラスの上端筋と直交する複数の主鉄筋および各主鉄筋と直交しトラスの配列間隔と同じかまたは整数倍の間隔で配列される複数の組立材より成り主鉄筋と組立材との交差位置において主鉄筋が組立材の上面に一体に溶接され各主鉄筋は５０ｍｍ以上、７５ｍｍ以下の間隔で配列されることによりコンクリート打設前はトラスの上端鉄筋とで作業者の足場を構成するとともに断面積の総和が構築する床スラブの断面積に対して０．２％の割合を確保するように軸径および配列間隔が設定されることによりコンクリート打設後は配力筋として機能する主鉄筋並列連結体とを製作する前工程と、前記デッキプレート本体を建物の床スラブを構築する位置に設置する設置工程と、各主鉄筋を各トラスの上端筋と直交させて前記主鉄筋並列連結体を前記デッキプレート本体のトラス間を跨ぐように組み付けられる組付工程と、前記主鉄筋並列連結体の各主鉄筋を各トラスの上端筋と交差する位置で上端筋に固定する固定工程とを順に実施してデッキプレートを製作することを特徴とするデッキプレートの製法。
【請求項５】
金属製の基板上に上端筋がラチス筋の頂部に一体に固着されてなるトラスが１５０〜２００ｍｍの配列間隔で複数並設されたデッキプレート本体と、各トラスの上端筋と直交する複数の主鉄筋および各主鉄筋と直交しトラスの配列間隔と同じかまたは整数倍の間隔で配列される複数の組立材より成り主鉄筋と組立材との交差位置において主鉄筋が組立材の上面に一体に溶接され各主鉄筋は５０ｍｍ以上、７５ｍｍ以下の間隔で配列されることによりコンクリート打設前はトラスの上端筋とで作業者の足場を構成するとともに断面積の総和が構築する床スラブの断面積に対して０．２％の割合を確保するように軸径および配列間隔が設定されることによりコンクリート打設後は配力筋として機能する主鉄筋並列連結体とを製作する前工程と、各主鉄筋を各トラスの上端筋と直交させて前記主鉄筋並列連結体を前記デッキプレート本体のトラス間を跨ぐように組み付けられる組付工程と、前記主鉄筋並列連結体の各主鉄筋を各トラスの上端筋と交差する位置で上端筋に固定する固定工程と、前記デッキプレート本体に主鉄筋並列連結体が組み付けられたものを建物の床スラブを構築する位置に設置する設置工程とを順に実施してデッキプレートを製作することを特徴とするデッキプレートの製法。
【請求項６】
前記組付工程および固定工程は、床スラブを構築する現場に設けられた作業場で実施される請求項５に記載のデッキプレートの製法。
【請求項７】
前記組付工程および固定工程は、デッキプレート本体および主鉄筋並列連結体を製作する工場内で実施される請求項５に記載のデッキプレートの製法。
【請求項８】
請求項４〜７のいずれかに記載の製法を実施して得られたデッキプレート上にコンクリートを打設して床スラブを構築することを特徴とする床スラブ構築方法。
【発明の詳細な説明】
【技術分野】
【０００１】
この発明は、建物の床スラブを構築するのに用いられるデッキプレートと、そのデッキプレート上にコンクリートを打設して構築される床スラブと、前記デッキプレートを製作するためのデッキプレートの製法と、前記床スラブを構築するための床スラブ構築方法とに関する。
【背景技術】
【０００２】
床スラブの構築に用いられるデッキープレートとして、図１２および図１３に示すように、金属製の基板２上に複数のトラス３が一定の間隔毎に並設された構造の鉄筋トラス付きデッキプレートがある（例えば、特許文献１参照）。
【０００３】
各トラス３は、図１４に示すように、その両端が柱状の端部材９に支えられてブリッジが構成されている。前記基板２は、後述する上端筋３１に一定間隔に配置された吊り材４によって宙づり状態で吊持されている。吊り材４は鉄線材などで形成されている。基板２は、亜鉛メッキ鋼板をもって形成され、トラス３および吊り材４と協働してコンクリートなどの荷重を受け止め、その荷重を吊り材４によってトラス３に伝達するとともに、流動性を有するコンクリートがこぼれないように保持する。
【０００４】
各トラス３は、互いに平行な上端筋３１と下端筋３２とを含み、波形形状のラチス材３３の頂部に上端筋３１が、底部に下端筋３２が、それぞれスポット溶接により一体に固着されている。上端筋３１および下端筋３２は直線状の棒鋼である。ラチス材３３は鉄線材を折り曲げて形成されている。トラス３はコンクリートの重量をはじめとする荷重を支持して両端の前記端部材９に伝達する。端部材９は受けた鉛直力を本体鉄骨梁９０、あるいは下部床に支持された支保工に支えられている梁型枠に伝達し支持される。この機構によって床スラブ下部の基板下には支保工が不要となる。なお、両端の端部材９は上下の各端部がトラス３の上端筋３１および下端筋３２に固着され、屈曲された端部が本体鉄骨梁９０に固着されている。
【０００５】
上端筋３１および下端筋３２は、本設時には、鉄筋コンクリートのスラブ主筋としてモーメントによって生じる引っ張り力に抵抗する役割を果たす。
【０００６】
前記の各吊り材４は、逆Ｖ字形状をなす山部４１と水平な谷部４２とが交互に連続したものである。各谷部４２は山部４１を起立させた状態で基板２の表面にスポット溶接により固着されている。トラス３の上端筋３１は各吊り材４の山部４１の頂部に固着される。吊り材４の山部４１の高さはトラス３の下端筋３２と基板２との間の鉄筋コンクリートとして必要なかぶり厚を考慮して設定されている。
【先行技術文献】
【特許文献】
【０００７】
【特許文献１】特許第３９３５４６４号公報
【発明の概要】
【発明が解決しようとする課題】
【０００８】
図１５は、上記した構成の鉄筋トラス付きデッキプレート１１の両端部が梁１９ａ，１９ａ間に支持された状態を示している。鉄筋トラス付きデッキプレート１１は、例えば、幅が６００ｍｍのもの（以下「単品」という。）１２を幅方向に複数連ねて形成されている。
【０００９】
建築工事を進める際、作業者は、鉄筋トラス付きデッキプレート１１や梁１９ａ，１９ｂの上で種々の作業を行う必要がある。そのために、作業者はトラス３の上端筋３１を足場にして鉄筋トラス付きデッキプレート１１上を歩行する。鉄筋トラス付きデッキプレート１１上をトラス３の長さ方向（図１５においてＸで示す方向）に移動する場合には、作業者は、１本の上端筋３１上に踏み足の重心を定めて綱渡り的な歩行を行うか、または、隣接する２本の上端筋３１，３１上に左右の足を交互に載せて歩行する。トラス３の配列間隔は一般に１５０〜２００ｍｍであり、作業者がトラス付きデッキプレート１１上をトラス３の幅方向（図中、Ｙで示す方向）に移動する場合には、このトラス３，３間の短い間隔に歩幅を合わせて、上端筋３１，３１上に左右の足を交互に載せて歩行する。
【００１０】
しかし、上端筋３１は足場とするには細くて不安定であるため、１本または２本の上端筋３１上に足を載せて鉄筋トラス付きデッキプレート１１上を長さ方向Ｘへ歩行するのは容易でない。そのため、上端筋３１より足を踏み外し、バランスを失って鉄筋トラス付きデッキプレート１１上で転倒するおそれがある。また、鉄筋トラス付きデッキプレート１１上を幅方向Ｙへ歩行する場合、歩幅が通常の歩行時の歩幅より小さく、不慣れな歩幅となるため、同様に上端筋３１より足を踏み外し、隣り合うトラス３，３間に足が挟まって鉄筋トラス付きデッキプレート１１上で転倒するおそれがある。このように、鉄筋トラス付きデッキプレート１１上での作業には危険が伴い、また、鉄筋トラス付きデッキプレート１１上を歩行するにもかなりの熟練を要し、作業者が負傷する頻度が高くなっている。
【００１１】
上記した問題を解決するため、現状では、図１６に示すように、鉄筋トラス付きデッキプレート１１上に仮設通路用の歩行マットＭを敷設することが行われている。しかし、鉄筋トラス付きデッキプレート１１上で行うべき作業は種々あるうえに広範囲にわたるため、作業内容に応じて歩行マットＭを敷設したり、移動させたり、さらには、撤去したりするなどの必要がある。歩行マットＭの敷設、移動、撤去に伴い、歩行マットＭを持ち運びする作業が必要であり、それに加えて、ワイヤーなどの金属線を用いて歩行マットＭを鉄筋トラス付きデッキプレート１１に結束したり、歩行マットＭの結束を解いたりする作業も必要となる。これらの作業を繰り返すことは作業者の作業負担を大きなものとし、作業効率の大幅な低下を招いている。
【００１２】
この発明は、上記の問題に着目してなされたもので、建築作業時、歩行マットのような敷設、移動、撤去などを必要とせず、上面を安全に歩行でき、種々の作業を広範囲にわたって効率よく実施できる新タイプのデッキプレートおよびその製法を提供することを目的とする。
また、この発明は、上記のデッキプレート上にコンクリートを打設して構築された強度に優れた床スラブおよびその構築方法を提供することを目的とする。
【課題を解決するための手段】
【００１３】
この発明によるデッキプレートは、金属製の基板上に上端筋がラチス筋の頂部に一体に固着されてなるトラスが１５０〜２００ｍｍの配列間隔で複数並設されたデッキプレート本体に、前記トラス間を跨ぐように主鉄筋並列連結体が組み付けられたデッキプレートである。前記主鉄筋並列連結体は、各トラスの上端筋と直交する複数の主鉄筋および各主鉄筋と直交しトラスの配列間隔と同じかまたは整数倍の間隔で配列される複数の組立材より成り、主鉄筋と組立材との交差位置において主鉄筋が組立材の上面に一体に溶接されている。各主鉄筋は、５０ｍｍ以上、７５ｍｍ以下の間隔で配列されることによりコンクリート打設前はトラスの上端筋とで作業者の足場を構成するとともに、断面積の総和が構築する床スラブの断面積に対して０．２％の割合を確保するように軸径および配列間隔が設定されることによりコンクリート打設後は配力筋として機能するものである。各主鉄筋を各トラスの上端筋と交差する位置で上端筋に固定することにより主鉄筋並列連結体とトラスとが一体化されている。
【００１４】
この発明の上記した構成において、主鉄筋並列連結体の各主鉄筋を５０ｍｍ以上、７５ｍｍ以下の間隔で配置したのは、主鉄筋の配列間隔が７５ｍｍを超えると、作業者の足が主鉄筋間の空間に落ち込むおそれがあり、また、主鉄筋の配列間隔が５０ｍｍを下回ると、主鉄筋並列連結体の重量が嵩んで取扱が不便となるからである。
上記した構成のデッキプレートにおいて、作業者がデッキプレート上を歩行する場合、主鉄筋並列連結体とトラスの上端筋とが作業者の足場となり、とりわけ、主鉄筋並列連結体の主鉄筋は作業者の足幅より小さな間隔で密に配置されているので、作業者に対して安定した足場を提供する。その結果、作業者は、デッキプレート上を安全に歩行でき、踏み外しによる転倒事故の発生を防止できる。
また、前記主鉄筋並列連結体の各主鉄筋は各組立材と交差する位置で各組立材の上面に溶接されているので、組立材はデッキプレートの表面に突き出ず、作業者の歩行の障害とならない。また、組立材をトラスの上端筋に沿わせるように主鉄筋並列連結体を位置決めすることが可能となる。
さらに、主鉄筋並列連結体をデッキプレート本体に組み付けた状態のままコンクリートを打設するので、従来の歩行マットのような取扱上の煩雑さはない。
さらにまた、コンクリートの打設後は、トラスの上端筋は鉄筋コンクリートのスラブ主筋として、主鉄筋並列連結体の主鉄筋は配力筋として、それぞれ機能するので、優れた強度の床スラブが得られる。
【００１８】
この発明の一実施態様においては、前記主鉄筋並列連結体の各主鉄筋は、各トラスの上端筋と交差する位置で各上端筋に結束具により結束されているが、主鉄筋並列連結体の固定は必ずしも結束に限られるものではない。また、結束具としてワイヤーのような金属線が好適であるが、例えばクリップ状のものであってもよい。
【００１９】
この発明による床スラブは、上記したデッキプレート上にコンクリートが打設されて構築されたものである。
この構成の床スラブでは、トラスの上端筋が鉄筋コンクリートのスラブ主筋として、主鉄筋並列連結体の主鉄筋が配力筋として、それぞれ機能するので、強度に優れた床スラブとなる。
【００２０】
この発明の上記デッキプレートを製作する第１の方法は、金属製の基板上に上端筋がラチス筋の頂部に一体に固着されてなるトラスが１５０〜２００ｍｍの配列間隔で複数並設されたデッキプレート本体と、各トラスの上端筋と直交する複数の主鉄筋および各主鉄筋と直交しトラスの配列間隔と同じかまたは整数倍の間隔で配列される複数の組立材より成り主鉄筋と組立材との交差位置において主鉄筋が組立材の上面に一体に溶接され各主鉄筋は５０ｍｍ以上、７５ｍｍ以下の間隔で配列されることによりコンクリート打設前はトラスの上端筋とで作業者の足場を構成するとともに断面積の総和が構築する床スラブの断面積に対して０．２％の割合を確保するように軸径および配列間隔が設定されることによりコンクリート打設後は配力筋として機能する主鉄筋並列連結体とを製作する前工程と、前記デッキプレート本体を建物の床スラブを構築する位置に設置する設置工程と、各主鉄筋を各トラスの上端筋と直交させて前記主鉄筋並列連結体を前記デッキプレート本体のトラス間を跨ぐように組み付けられる組付工程と、前記主鉄筋並列連結体の各主鉄筋を各トラスの上端筋と交差する位置で上端筋に固定する固定工程とを順に実施してデッキプレートを製作するものである。
【００２１】
また、この発明の上記デッキプレートを製作する第２の方法は、金属製の基板上に上端筋がラチス筋の頂部に一体に固着されてなるトラスが１５０〜２００ｍｍの配列間隔で複数並設されたデッキプレート本体と、各トラスの上端筋と直交する複数の主鉄筋および各主鉄筋と直交しトラスの配列間隔と同じかまたは整数倍の間隔で配列される複数の組立材より成り主鉄筋と組立材との交差位置において主鉄筋が組立材の上面に一体に溶接され各主鉄筋は５０ｍｍ以上、７５ｍｍ以下の間隔で配列されることによりコンクリート打設前はトラスの上端筋とで作業者の足場を構成するとともに断面積の総和が構築する床スラブの断面積に対して０．２％の割合を確保するように軸径および配列間隔が設定されることによりコンクリート打設後は配力筋として機能する主鉄筋並列連結体とを製作する前工程と、各主鉄筋を各トラスの上端筋と直交させて前記主鉄筋並列連結体を前記デッキプレート本体のトラス間を跨ぐように組み付けられる組付工程と、前記主鉄筋並列連結体の各主鉄筋を各トラスの上端筋と交差する位置で上端筋に固定する固定工程と、前記デッキプレート本体に主鉄筋並列連結体が組み付けられたものを建物の床スラブを構築する位置に設置する設置工程とを順に実施してデッキプレートを製作するものである。
【００２２】
上記した第１の製法は、デッキプレート本体を建物の床スラブを構築する位置に設置した後にデッキプレート本体に対して主鉄筋並列連結体を組み付けるのに対して、第２の製法は、デッキプレート本体に対して主鉄筋並列連結体を組み付けたものを建物の床スラブを構築する位置に設置するものであり、現場の状況などに応じて、いずれかの製法を選択する。
また、上記した第２の製法では、前記組付工程および固定工程は、床スラブを構築する現場に設けられた作業場で実施されるものであってもよく、デッキプレート本体および主鉄筋並列連結体を製作する工場内で実施されるものであってもよい。
【００２３】
この発明による床スラブ構築方法は、上記したいずれかの製法を実施して得られたデッキプレート上にコンクリートを打設することにより床スラブを構築するものである。
【発明の効果】
【００２４】
この発明によれば、建築作業時、従来の歩行マットのように、敷設、移動、撤去などの作業を必要とせず、デッキプレート上を安全に歩行でき、種々の作業を広範囲にわたって効率よく実施できる。また、デッキプレートにコンクリートを打設したとき、デッキプレート本体の上端筋が鉄筋コンクリートのスラブ主筋として、主鉄筋並列連結体の主鉄筋が配力筋として、それぞれ機能するので、優れた強度の床スラブが得られる。
【図面の簡単な説明】
【００２５】
【図１】この発明の一実施例であるデッキプレートを示す中間部を省略した正面図である。
【図２】図１の実施例を示す中間部を省略した平面図である。
【図３】図１の実施例の単品に当たる部分の正面図である。
【図４】図１の実施例の単品に当たる部分の平面図である。
【図５】トラスのラチス材を省略して示した図１の実施例の斜視図である。
【図６】主鉄筋並列連結体の構成を示す平面図である。
【図７】図６のＡ−Ａ線に沿う断面図である。
【図８】図６のＢ−Ｂ線に沿う断面図である。
【図９−１】床スラブを形成する作業工程を（１）、（２）で示す平面図である。
【図９−２】床スラブを形成する作業工程を（３）、（４）で示す平面図である。
【図１０】第１の継ぎ手用の主鉄筋並列連結体を示す平面図である。
【図１１】第２の継ぎ手用の主鉄筋並列連結体を示す平面図である。
【図１２】従来の鉄筋トラス付きデッキプレートを拡大して示す正面図である。
【図１３】従来の鉄筋トラス付きデッキプレートを拡大して示す平面図である。
【図１４】従来の鉄筋トラス付きデッキプレートの端部を示す側面図である。
【図１５】床スラブ構築時の１作業工程を示す平面図である。
【図１６】従来の鉄筋トラス付きデッキプレート上に歩行マットが敷設された状態を示す平面図である。
【発明を実施するための形態】
【００２６】
図１および図２は、この発明の一実施例であるデッキプレート１の構成を示している。また、図３および図４は、図１，２のデッキプレート１を拡大して示したもので、前記した単品に当たる部分を拡大して示している。図示例のデッキプレート１は、亜鉛メッキ鋼板よりなる基板２と、基板２上に一定の間隔Ｌで並設された複数のトラス３と、トラス３，３間を跨ぐように配置された主鉄筋並列連結体５とから成るものである。
【００２７】
ここでは、基板２上に複数のトラス３が並設された中間品を「デッキプレート本体１０」といい、デッキプレート本体１０に主鉄筋並列連結体５が組み付けられた完成品を「デッキプレート１」という。前記デッキプレート本体１０は、図１２〜１４に示した従来例の鉄筋トラス付きデッキプレート１１と同じ構成のものであり、したがって、ここでは、デッキプレート本体１０のみの図示は省略する。また、デッキプレート本体１０の構成各部の説明も、図１〜図４に前記した従来例の鉄筋トラス付きデッキプレート１１の構成に対応する構成に同じ符号を付することで省略する。
【００２８】
デッキプレート本体１０は、例えば、幅が６００ｍｍの単品（従来の鉄筋トラス付きデッキプレートの単品）をトラス３の幅方向Ｙに連ねて形成されている。図３において、２１は単品の両側縁に形成される継ぎ手部分であり、この継ぎ手部分２１を隣の単品の継ぎ手部分２１と係合して繋ぐことによりデッキプレート本体１０が形成される。また、図３において、２０は基板２に形成された補強用のリブであり、長さ方向へ全長にわたって形成されている。
なお、デッキプレート本体１０は、この実施例の構成態様のものに限定されるものではなく、例えば、上端筋と１個または２個のラチス材とでトラスが構成されているものなど、種々の構成態様のものを採択できる。
【００２９】
前記主鉄筋並列連結体５は、図６〜図８に示すように、外形が矩形状をなす網目状のものであり、それぞれが直線状をなす複数の主鉄筋５１とそれぞれが直線状をなす複数の組立材５２とからなる。各主鉄筋５１は、各組立材５２と交差する各位置Ｐにおいて組立材５２の上面にスポット溶接されて一体化されている。主鉄筋５１は最終的には鉄筋コンクリート構造体を構成するのに必要な配力筋として機能させるものであり、ＪＩＳの規格品の細径材を用いている。組立材５２は適度な強度を有するものであれば、その材質は問わないが、溶接により主鉄筋５１に不具合を発生させない材料を選定する。
【００３０】
この主鉄筋並列連結体５は、デッキプレート本体１０と同様、工場において製作されるが、中間品のデッキプレート本体１０への主鉄筋並列連結体５の組付は工場において実施してもよく、また、現場において実施してもよい。さらに現場では、梁上に設置後のデッキプレート本体１０に対して実施してもよく、梁上に設置される前のデッキプレート本体１０に対して現場の作業場などで実施してもよい。
【００３１】
主鉄筋５１の配列間隔は、安全な歩行が可能なように、トラス３の配列間隔Ｌ（Ｌ＝１５０〜２００ｍｍ）より小さな間隔ｄ１に設定されるもので、コンクリート打設前は作業者の足場となるように作業者の足（図４に一点鎖線で示す）の幅より短い間隔ｄ１、すなわち、ｄ１＝５０〜７５ｍｍに設定される。各主鉄筋５１は各トラス３の上端筋３１と直交する。
【００３２】
また、主鉄筋５１は、コンクリート打設後は配力筋として機能させるために、断面積の総和が構築する床スラブの断面積に対して所定の割合（例えば０．２％）を確保するように軸径および配列間隔が設定される。
【００３３】
組立材５２の配列間隔は、トラス３の上端筋３１と干渉しない間隔ｄ２、例えば、トラス３の配列間隔Ｌと同じかまたは整数倍の間隔（この実施例ではｄ２＝Ｌ）に設定される。各組立材５２は各トラス３の上端筋３１と平行に位置する。各組立材５２は、各吊り材４の山部４１の頂部の側面に当接し、各トラス３の上端筋３１に沿って長さ方向へ延びている。
【００３４】
各主鉄筋５１は、各トラス３の上端筋３１と交差する各位置Ｑにおいて各上端筋３１の上面と当接するもので、結束具（図示せず）を用いて主鉄筋５１と上端筋３１とが結束される。これにより主鉄筋並列連結体５はトラス３と一体化されてデッキプレート本体１０に固定される。この実施例では、結束具としてワイヤーのような金属線を用いており、上端筋３１と主鉄筋５１との交差部分に金属線をクロスさせて幾重にも巻き付けている。
【００３５】
上記の如くに、デッキプレート本体１０のトラス３，３間を跨ぐように主鉄筋並列連結体５を組み付けることにより、図５に示すように、主として主鉄筋並列連結体５の主鉄筋５１とトラス３の上端筋３１とで作業者の足場が構成される。主鉄筋５１をトラス３の配列間隔Ｌより小さな間隔ｄ１であって作業者の足幅より短い間隔で密に配置することで、作業者にとって安定した足場となっている。
【００３６】
図９−１，２の（１）〜（４）は、上記したデッキプレート１を用いて床スラブを構築する作業工程を示している。
工場で製作されたデッキプレート本体１０と主鉄筋並列連結体５とはトラックなどで現場に運び込まれ、まず、デッキプレート本体１０を建物の床スラブを構築する位置、すなわち、縦横の梁１９ａ，１９ｂで囲まれた開口部分に設置した後に、デッキプレート本体１０に対して主鉄筋並列連結体５を組み付ける。
【００３７】
図９−１（１）は、両側の梁１９ａ，１９ａにデッキプレート本体１０の両端部が支持された状態を示している。デッキプレート本体１０は、従来の鉄筋トラス付きデッキプレートの単品１２をトラス３の幅方向Ｙに複数連ねて形成されたものである。
図９−１（２）は、このデッキプレート本体１０に対して主鉄筋並列連結体５が組み付けられた状態を示している。この主鉄筋並列連結体５の組み付けによって、作業者が梁１９ａ，１９ｂ上で建築作業を行うのに、安定した作業および歩行のための足場が形成される。
【００３８】
図９−２（３）は、隣り合うデッキプレート本体１０，１０間で各トラス３の上端筋３１，３１同士を第１の継ぎ手用の主鉄筋並列連結体６を用いて相互に連結する作業工程を示している。
【００３９】
第１の継ぎ手用の主鉄筋並列連結体６は、図１０に示すように、トラス３の配列間隔Ｌと一致する間隔Ｓ１で配置される複数の主鉄筋６１と、主鉄筋６１の長さ中央部に各主鉄筋６１と直交して小さな間隔で密に配置される複数本（図示例では４本）の組立材６２とから成るもので、各主鉄筋６１は各組立材６２と交差する各位置でスポット溶接されて一体化されている。
【００４０】
各主鉄筋６１の両端部は、トラス３の長さ方向Ｘに隣り合うデッキプレート本体１０，１０の各上端筋３１にそれぞれ連結される。各主鉄筋６１はトラス３の上端筋３１と同種類、同径の材料を用いて形成されている。各主鉄筋６１の長さは、両端部の継ぎ手長さに梁１９ａの幅を加えた長さに設定されており、各組立材６２は梁１９ａの上方に位置する。なお、組立材６２は、適度な強度を有するものであれば、その材質は問わないが、溶接により主鉄筋６１に不具合を発生させない材料が選定される。
【００４１】
図９−２（４）は、隣り合う主鉄筋並列連結体５，５間で各主鉄筋並列連結体５の各主鉄筋５１，５１同士を第２の継ぎ手用の主鉄筋並列連結体７を用いて相互に連結する作業工程を示している。
【００４２】
第２の継ぎ手用の主鉄筋並列連結体７は、図１１に示すように、主鉄筋並列連結体５の主鉄筋５１の配列間隔ｄ１と一致する間隔Ｓ２で配置される複数の主鉄筋７１と、主鉄筋７１の長さ中央部に各主鉄筋７１と直交して配置される複数本（図示例では２本）の組立材７２とから成るもので、各主鉄筋７１は各組立材７２と交差する位置でスポット溶接されて一体化されている。
【００４３】
各主鉄筋７１の両端部は、トラス３の幅方向Ｙに隣り合うデッキプレート本体１０，１０に組み付けられた主鉄筋並列連結体５の各主鉄筋５１にそれぞれ連結される。各主鉄筋７１は、主鉄筋並列連結体５の主鉄筋５１と同種類、同径の材料を用いて形成されている。各主鉄筋７１の長さは、両端部の継ぎ手長さに梁１９ｂの幅を加えた長さに設定されており、各組立材７２は梁１９ｂの上方に位置する。なお、組立材７２は、適度な強度を有するものであれば、その材質は問わないが、溶接により主鉄筋７１に不具合を発生させない材料が選定される。
なお、上記の実施例は、デッキプレート本体１０を建物の床スラブを構築する位置に設置した後にデッキプレート本体１０に対して主鉄筋並列連結体５を組み付けているが、デッキプレート本体１０に対して主鉄筋並列連結体５を組み付けたものを建物の床スラブを構築する位置に設置してもよい。
【００４４】
上記した構成のデッキプレート１において、作業者がデッキプレート１上を歩行する場合、主として主鉄筋並列連結体５の主鉄筋５１とトラス３の上端筋３１とが作業者の足場となる。とりわけ、主鉄筋５１は作業者の足幅より短い間隔ｄ１で密に配置されているので、作業者に対して安定した足場を提供する。その結果、作業者は、デッキプレート１上を安全に歩行でき、踏み外しによる転倒事故の発生を防止できる。
【００４５】
また、デッキプレート１はデッキプレート本体１０に主鉄筋並列連結体５が組み付けられて一体化されたものであり、デッキプレート１上にそのままコンクリートが打設されるもので、コンクリートの打設後は、トラス３の上端筋３１は鉄筋コンクリートのスラブ主筋として、主鉄筋並列連結体５の主鉄筋５１は配力筋として、それぞれ機能し、強度に優れた床スラブが得られる。
【符号の説明】
【００４６】
１    デッキプレート
２    基板
３    トラス
４    吊り材
５    主鉄筋並列連結体
１０  デッキプレート本体
３１  上端筋
３２  下端筋
３３  ラチス材
５１  主鉄筋
５２  組立材
【要約】
【課題】建築作業時、上面を安全に歩行でき、種々の作業を広範囲にわたって効率よく実施できるデッキプレートを提供する。
【解決手段】デッキプレート１は、金属製の基板２と、基板２上に一定の間隔毎に並設される複数のトラス３と、基板２上のトラス３，３間を跨ぐように配置される主鉄筋並列連結体５とから成る。主鉄筋並列連結体５は、各トラス３の上端筋３１と直交する複数の主鉄筋５１および各主鉄筋５１と直交しその交差位置で各主鉄筋５１に一体に溶接される複数の組立材５２より成る。各主鉄筋５１は、足幅より短い間隔で配列されるとともに、断面積の総和が構築する床スラブの断面積に対して所定の割合を確保するように軸径および配列間隔が設定されている。各主鉄筋５１を各トラス３の上端筋３１と交差する位置で各上端筋３１に固定することにより主鉄筋並列連結体５とトラス３とが一体化されている。
【選択図】図１【図１】
0005866038.tif 000002
【図２】
0005866038.tif 000003
【図３】
0005866038.tif 000004
【図４】
0005866038.tif 000005
【図５】
0005866038.tif 000006
【図６】
0005866038.tif 000007
【図７】
0005866038.tif 000008
【図８】
0005866038.tif 000009
【図９−１】
0005866038.tif 000010
【図９−２】
0005866038.tif 000011
【図１０】
0005866038.tif 000012
【図１１】
0005866038.tif 000013
【図１２】
0005866038.tif 000014
【図１３】
0005866038.tif 000015
【図１４】
0005866038.tif 000016
【図１５】
0005866038.tif 000017
【図１６】
0005866038.tif 000018